(57)【要約】【課題】漁業者へのコスト的および労力的な負担を軽減することができる養殖魚の集魚装置、それを用いた養殖魚の集魚方法および薬浴処理方法を提供すること。【解決手段】枠部と、前記枠部の内側領域に設けられたシート槽部とを備え、  前記シート槽部は、所定の中空立体形状の低通水性シート部を有し、前記枠部が角形の生け簀内の水面付近に設置されて前記シート槽部が水中に浸漬した状態において、前記生け簀内に区画された前記シート槽部内に集魚可能であることを特徴とする養殖魚の集魚装置。【選択図】図１
2020184918.tif 000002
【特許請求の範囲】
【請求項１】
枠部と、前記枠部の内側領域に設けられたシート槽部とを備え、
前記シート槽部は、所定の中空立体形状の低通水性シート部を有し、
前記枠部が角形の生け簀内の水面付近に設置されて前記シート槽部が水中に浸漬した状態において、前記生け簀内に区画された前記シート槽部内に集魚可能であることを特徴とする養殖魚の集魚装置。
【請求項２】
前記枠部の内側に張られた網部をさらに有し、
前記網部は、その一部が切り取られて形成された開口部を有し、
前記シート槽部は、前記網部の前記開口部の周縁に取り付けられている請求項１に記載の集魚装置。
【請求項３】
前記枠部が、伸縮可能なパイプ材にて四角形に構成されている請求項１または２に記載の集魚装置。
【請求項４】
前記網部の前記開口部が円形または多角形であり、
前記シート槽部が、逆円錐形、逆円錐台形、円柱形または逆角錐形の中空形状を有する請求項２に記載の集魚装置。
【請求項５】
前記シート槽部は、通水部を底部または側部に有している請求項１〜４のいずれか１つに記載の集魚装置。
【請求項６】
前記シート槽部の底部に設けられた錘をさらに備えた請求項１〜５のいずれか１つに記載の集魚装置。
【請求項７】
前記枠部が、前記生け簀内の水面付近に設置される主枠部と、前記主枠部に連設されて前記生け簀の枠体の一辺に載り上げ可能な延長枠部とを有する請求項１〜６のいずれか１つに記載の集魚装置。
【請求項８】
前記延長枠部は、前記延長枠部が前記生け簀の前記枠体の前記一辺に載り上げたときに前記主枠部を前記生け簀内の水面と略平行な状態に支持可能とする折り曲げ部を、前記主枠部との連設部分に有する請求項７に記載の集魚装置。
【請求項９】
請求項１〜８のいずれか１つに記載の集魚装置を、角形の生け簀の一の内側面に沿わせた状態に設置する工程と、
前記生け簀内の前記集魚装置における前記枠部の下端を、前記生け簀の前記一の内側面と対向する他の内側面の方へ前記生け簀の底面に沿って移動させる工程と、
前記生け簀内の水面付近まで前記枠部を上昇させ、それによって前記シート槽部内に前記生け簀内の養殖魚を集める工程とを含む養殖魚の集魚方法。
【請求項１０】
請求項１〜８のいずれか１つに記載の集魚装置を用いて、前記シート槽部内の水中に魚病治療用の薬剤を添加する養殖魚の薬浴処理方法。
【請求項１１】
請求項９に記載の集魚方法における前記生け簀内の養殖魚を集める工程の後、前記シート槽部内の水中に魚病治療用の薬剤を添加する工程を行う養殖魚の薬浴処理方法。
【発明の詳細な説明】
【技術分野】
【０００１】
本発明は、養殖魚の集魚装置、それを用いた養殖魚の集魚方法および薬浴処理方法に関する。
【背景技術】
【０００２】
従来、養殖魚の魚病の治療を行うために、洋上の生け簀の隣に海水槽を設置し、海水槽中の海水に魚病治療用の薬剤を添加して薬浴槽とし、生け簀内から養殖魚をタモ網ですくい上げて薬浴槽内に養殖魚を移して薬浴処理する方法がとられていたが、養殖魚に傷やストレスを与えて衰弱させてしまうことから、近年では生け簀内で薬浴処理する方法がとられてきている。
【０００３】
例えば、特許文献１では、生け簀の外周を透明な合成樹脂膜で覆って生け簀自体を薬浴槽とする方法が提案されている。
また、特許文献２では、生け簀の内周に薬浴用カーテンを吊り下げてその内側領域を薬浴槽とする方法が提案されている。
これら特許文献１および２の方法では、生け簀内の海水量が多量であるため、魚病治療に有効な薬剤濃度とするために必要な薬剤量が多量になってしまう問題があった。また、これらの方法では、生け簀の底部から外部の海水中に薬剤成分が漏れ出て薬剤濃度が低下しやすいため、それを補うために薬剤濃度を高めに設定する場合もあった。
【０００４】
そのため、特許文献３では、角形生け簀内の内周面における一面と底面と前記一面の対向面にシート状体を連続状にセットし、シート状体の前記一面側の一端部を生け簀の上縁の枠体に固定し、シート状体の前記対向面側の他端部を船上の巻き上げ機にて巻き上げることにより生け簀内の上部に集魚すると共に、シート状体によって生け簀内の区画された上部に薬剤を添加することにより、生け簀上部を薬浴槽として養殖魚を薬浴処理する方法が提案されている。
【先行技術文献】
【特許文献】
【０００５】
【特許文献１】実公昭４４−９５０２号公報
【特許文献２】特開昭５４−７０９９９号公報
【特許文献３】特開平６−２８４８３５号公報
【発明の概要】
【発明が解決しようとする課題】
【０００６】
特許文献３の薬浴処理方法では、生け簀上部をシート状体で区画する前段階のシート状体のセット時に複数の重錘、複数の係止リング等が必要となるため、シート状体を含むこれらの設備費用が嵩むと共に、シート状体、複数の重錘、複数の係止リング等のセットに人手と手間と労力がかかるため、漁業者（特に、小規模漁業者）にとっては負担が大きい。
【０００７】
本発明は、このような事情に鑑みなされたものであり、漁業者へのコスト的および労力的な負担を軽減することができる養殖魚の集魚装置、それを用いた養殖魚の集魚方法および薬浴処理方法を提供することを目的とする。
【課題を解決するための手段】
【０００８】
本発明によれば、枠部と、前記枠部の内側領域に設けられたシート槽部とを備え、
前記シート槽部は、所定の中空立体形状の低通水性シート部を有し、
前記枠部が角形の生け簀内の水面付近に設置されて前記シート槽部が水中に浸漬した状態において、前記生け簀内に区画された前記シート槽部内に集魚可能である養殖魚の集魚装置が提供される。
【０００９】
また、本発明の別の観点によれば、前記集魚装置を、角形の生け簀の一の内側面に沿わせた状態に設置する工程と、
前記生け簀内の前記集魚装置における前記枠部の下端を、前記生け簀の前記一の内側面と対向する他の内側面の方へ前記生け簀の底面に沿って移動させる工程と、
前記生け簀内の水面付近まで前記枠部を上昇させ、それによって前記シート槽部内に前記生け簀内の養殖魚を集める工程とを含む養殖魚の集魚方法が提供される。
また、本発明の別の観点によれば、前記集魚方法における前記生け簀内の養殖魚を集める工程の後、前記シート槽部内の水中に魚病治療用の薬剤を添加する工程を行う養殖魚の薬浴処理方法が提供される。
【発明の効果】
【００１０】
本発明の養殖魚の集魚装置は、枠部と網部とシート槽部とが一体化されたものであり、簡素な構造であるため、低コストにて作製可能であり、養殖魚の薬浴処理作業を行う漁業者に対して設備費の面での負担を軽減することができる。
また、本発明の養殖魚の集魚方法によれば、集魚による養殖魚の衰弱を抑制することができることに加えて、集魚装置の生け簀内へセットから集魚までの工程は、少ない人員により集魚装置を取り扱うことができるため、養殖を営む漁業者に対して作業人員および労力の面での負担を軽減することができる。
また、本発明の薬浴処理方法によれば、生け簀内を集魚装置のシート槽部にて区画した小区画域に魚病治療用の薬剤を添加することができるため、薬剤の使用量を低減することができる。
なお、本発明の集魚装置および集魚方法は、養殖魚の薬浴処理以外に、例えば、養殖魚を小区画域に集めて出荷作業を効率よく行う場合や、赤潮発生及びタンカーからの重油流出等の外的トラブル等で一時的に養殖魚を避難させる場合に用いられてもよい。
【図面の簡単な説明】
【００１１】
【図１】本発明の養殖魚の集魚装置の第１実施形態を示す斜視図である。
【図２】第１実施形態の集魚装置を用いた集魚方法を説明する第１の図である。
【図３】第１実施形態の集魚装置を用いた集魚方法を説明する第２の図である。
【図４】第１実施形態の集魚装置を用いた集魚方法を説明する第３の図である。
【図５】本発明の養殖魚の集魚装置の第２実施形態を示す斜視図である。
【図６】第２実施形態の集魚装置を用いた集魚方法を説明する第１の図である。
【図７】第２実施形態の集魚装置を用いた集魚方法を説明する第２の図である。
【図８】第２実施形態の集魚装置を用いた集魚方法を説明する第３の図である。
【発明を実施するための形態】
【００１２】
（第１実施形態）
図１は本発明の養殖魚の集魚装置の第１実施形態を示す斜視図である。また、図２〜図４は第１実施形態の集魚装置を用いた集魚方法を説明する第１〜第３の図である。
図１〜図４に示すように、この集魚装置１は、平面視略正方形（角形）の生け簀７０内の養殖魚を集魚する際に用いられるものであり、四角形の枠部１０と、枠部１０の内側に張られた網部２０と、網部２０に設けられた逆円錐形のシート槽部３０とを備える。なお、本実施形態では、シート槽部３０が、集魚装置１の使用状態において逆円錐形の中空立体形状を有する場合を例示するが、シート槽部３０の中空立体形状は逆円錐形に限定されず、例えば、逆円錐台形、円柱形、半円形、逆角錐形、逆角錐台形、角柱形等であってもよい。
【００１３】
本発明の集魚装置１が対象とする角形の生け簀７０は、海面に浮上する平面視略正方形の枠体７１と、枠体７１の内周面に固定されて海中に吊り下げられた略立方体形の生け簀網７２とを備え、この生け簀７０では、例えば、ブリ、マダイ、カンパチ、ヒラメ、トラフグ等の養殖魚Ｆが養殖される。なお、これらの養殖魚Ｆを養殖する生け簀７０としては、例えば、縦８ｍ×横８ｍ×深さ８ｍ程度のサイズのものがあるが、本発明の集魚装置１は各種サイズの生け簀に対応可能である。
【００１４】
第１実施形態の場合、枠部１０は、大径パイプ１０ａ内に小径パイプ１０ｂがスライド可能に挿入されてなる伸縮可能なパイプ材にて平面視略長方形に構成されている。なお、大径パイプ１０ａ内に小径パイプ１０ｂが挿入されたパイプ材は、大径パイプ１０ａと小径パイプ１０ｂとの間の隙間を空気または水が流通可能に構成されてもよく、あるいは大径パイプ１０ａに空気または水を流通させる小孔を複数形成してもよく、あるいは前者と後者を組み合わせてもよい。さらに、水深によって伸縮可能なように構成されてもよく、固定された１０ｂパイプに網がスライドするように取り付けてもよい。
【００１５】
より詳しく説明すると、枠部１０は、角形の生け簀７０内に収まる平面視略正方形の主枠部１１と、主枠部１１に連設された延長枠部１２とを有する。
主枠部１１は、集魚装置１が生け簀７０内に設置された状態（図４参照）において、生け簀７０の枠体７１の内周部の三辺に沿って配置されるコ字形の部分であり、主枠部１１の伸長状態における一辺の最大長さＬ１は枠体７１の内周部の一辺の長さと概ね等しく設定されている。なお、主枠部１１のコーナー部は、生け簀７０内の隅部との間にできるだけ隙間ができないように丸みを小さく抑えることが好ましい。
【００１６】
延長枠部１２は、集魚装置１が生け簀７０内に設置された状態（図４参照）において、生け簀７０の枠体７１の一辺に載り上げ可能なコ字形の部分である。
延長枠部１２の伸長状態における対向する二辺のそれぞれの最大長さＬ２と、主枠部１１の前記最大長さＬ１との和は、側方から視た生け簀７０の対角線長Ｌ３（図３参照）よりも長く設定されている。
また、集魚装置１が生け簀７０内に設置された状態（図４参照）のときに主枠部１１が水平を保ちやすいように、延長枠部１２はその対向する二辺の主枠部１１との連設部分に、上方へ向かって折り曲げられた折り曲げ部１２ａをそれぞれ有している。
【００１７】
第１実施形態の場合、主枠部１１の各三辺は、両端側に大径パイプ１０ａが設けられ、両端側の大径パイプ１０ａの間に小径パイプ１０ｂが配置された構造となっており、図１に示す拡張状態から縮小状態にすると、両端側の大径パイプ１０ａ内に小径パイプ１０ｂが略完全に収納される。これにより、拡張状態の主枠部１１の三片の各最大長さＬ１は、縮小状態においては小径パイプ１０ｂの長さ分短くなり、本実施形態では略半分に短縮する。なお、延長枠部１２においても同様の構成とすることができる。
【００１８】
大径パイプ１０ａおよび小径パイプ１０ｂの材質は、海水によって腐食され難い材質であることが好ましく、軽量でかつ高剛性を有する材質であることがさらに好ましい。このような材料としては、例えば、ガラス繊維、炭素繊維等の繊維を含む繊維強化プラスチック（ＦＲＰ）が挙げられる。
【００１９】
網部２０は、養殖魚Ｆが通過できない大きさの網目を有し、拡張状態の枠部１０の内側に複数の締結部材４１を介して取り付けられている。この場合、網部２０の外周部にて枠部１０を上から覆うようにしており、これにより網部２０と枠部１０との間に隙間を作らないようにしている。
締結部材４１としては、例えば、可撓性のテープ、ロープ等を用いることができる。
拡張状態の枠部１０の内側に複数の締結部材４１を介して網部２０が張設されることにより、大径パイプ１０ａ内から小径パイプ１０ｂが抜け出ないようになっている。
また、網部２０の外周端部には複数の沈子５０がロープを介して取り付けられている。これにより、集魚装置１を生け簀７０内にセットする際（図２参照）、集魚装置１が水中に沈みやすくなる。なお、図１では、網部２０の外周縁における主枠部１１に対応する部分にのみ複数個の沈子５０を設けた場合を例示したが、網部２０の外周縁における延長枠部１２に対応する部分にも沈子５０を設けてもよく、沈子５０の数は特に限定されるものではない。また、集魚装置１を生け簀７０の内側面７２ａに沿って沈める際の主枠部１１の一辺１１ａ側（延長枠部１２とは反対側の一辺、図１、図２参照）にのみ複数個の沈子５０を設けてもよい。
【００２０】
また、網部２０は、主枠部１１に張られた部分に円形の開口部２１を有している。
シート槽部３０が逆円錐形、逆円錐台形半、円柱形、逆角錐形、逆角錐台形、半球形等である場合の網部２０の開口部２１のサイズ（直径）は、集魚効率を高める観点から、できる限り大きく設定することが好ましい。なお、シート槽部３０が角柱形である場合の網部２０の開口部は、シート槽部３０内の容積をある程度小さくするために円形の開口部２１よりも小さいサイズの正方形とされる。網部２０の面積と開口部２１の面積との比率としては、例えば、１：０．１〜９９程度とすることができる。
【００２１】
シート槽部３０は、網部２０の円形の開口部２１の周縁に取り付けられた逆円錐台形の低通水性シート部３１を有すると共に、低通水性シート部３１の下部に縫製、接着、溶着等によって接合された逆円錐形の網状の通水部３２にて構成されている。
【００２２】
低通水性シート部３１は、例えば、低通水性の樹脂シート（樹脂膜）、低通水性の織物またはニット等を素材として用い、１枚以上の素材の接合部分を縫製、接着、溶着等にて接合して逆円錐台形に形成することができる。なお、ここで「低通水性」とは、網部２０の通水性よりも低い通水性を意味し、非通水性をも包含する。
低通水性シート部３１の上端の円形の開口端縁は、網部２０の円形の開口部２１の周縁に、例えば、縫製、接着、溶着等によって接合されている。
【００２３】
また、この集魚装置１は、図１中の二点鎖線で示すように、主枠部１１における延長枠部１２とは反対側の一辺の両端部に一対のロープ４２の一端をそれぞれ締結すると共に、各ロープ４２の他端をリング形の連結具４３にそれぞれ締結してもよい。
これらのロープ４２および連結具４３は、集魚装置１を用いた養殖魚Ｆの薬浴処理作業を効率よく行う上で便利である。なお、これらのロープ４２および連結具４３は作業者が用意したものを集魚作業前に集魚装置１に取り付けてもよい。
【００２４】
図４に示すように、このように構成された集魚装置１は、養殖魚Ｆの薬浴処理時に、枠部１０が角形の生け簀７０内の水面Ａ付近に設置され、かつ、シート槽部３０が水中に浸漬して逆円錐形に拡張した状態において、生け簀７０内に区画されたシート槽部３０内に集魚可能に構成されている。
以下、この集魚装置１を用いた養殖魚Ｆの集魚方法および薬浴処理方法について説明する。
【００２５】
図２に示すように、まず、集魚装置１を、角形の生け簀７０の一の内側面７２ａに沿わせた状態に設置する工程が行われる。
この工程においては、例えば、枠部１０を拡張した集魚装置１（実線）を、生け簀７０における一の内側面７２ａと対向する他の内側面７２ｂ側（作業船８０側）の枠体７１の一辺上に載せる。このとき、延長枠部１２の折り曲げ部１２ａが枠体７１よりも上方へ位置するように集魚装置１を裏返した状態とし、この状態で主枠部１１を生け簀７０内に落とし込む。これにより、主枠部１１の延長枠部１２と反対側の一辺１１ａが、生け簀７０における枠体７１の延長枠部１２を載せた前記一辺とは反対の他の一辺側に配置される。
なお、予め、集魚装置１には前記一対のロープ４２および連結具４３（図１参照）が取り付けられると共に、作業船８０に設置された巻き上げ機８１のロープ８２の先端のフックが連結具４３に連結されている。
【００２６】
次に、図２中の二点鎖線で示すように、集魚装置１の主枠部１１の前記一辺１１ａを生け簀網７２の内側面７２ａに沿って下降させながら集魚装置１を立て、主枠部１１全体を生け簀網７２の内側面７２ａに沿わせた状態にする。このとき、海水が流入した枠部１０と共にシート槽部３０が生け簀網７２の内側面７２ａに沿って水中に沈められるが、シート槽部３０内の空気は通水部３２から抜け出るためシート槽部３０が浮き上がりにくくなる。また、この作業は、集魚装置１の主枠部１１の前記一辺１１ａが真っ直ぐ下降できるよう、作業船８０の巻き上げ機８１からロープ８２を操出しながら行われる。
なお、図２で説明した集魚装置１の生け簀７０内へのセット作業は、枠体７１上で２人の作業者が集魚装置１を移動させる作業を行ってもよく、それにより作業効率が高められる。
【００２７】
次に、図３に示すように、生け簀７０内の集魚装置１における枠部１０の下端（一辺１１ａ）を、生け簀７０の前記内側面７２ａと対向する他の内側面７２ｂの方へ底面７２ｃに沿って移動させる工程が行われる。
この工程では、作業船８０の巻き上げ機８１にてロープ８２を巻き上げることにより、集魚装置１の枠部１０の下端（一辺１１ａ）が生け簀７０の底面７２ｃに沿って他の内側面７２ｂの方へ引っ張られる。
【００２８】
これにより、側面側から視て、集魚装置１の略全体が生け簀７０内に傾いた状態で浸漬し、生け簀７０内は集魚装置１によって区画され、区画された底面７２ｃ側のスペースにシート槽部３０が配置され、区画された水面Ａ側のスペースに養殖魚Ｆが移動する。このとき、集魚装置１の延長枠部１２にも網部２０が張設されていることにより、養殖魚Ｆが延長枠部１２をすり抜けて生け簀７０の底面７２ｃ側へ逃げることを防止できる。
また、この工程（図３参照）においては、集魚装置１の延長枠部１２の端部側が生け簀７０の枠体７１に凭れかかった（引っ掛かった）状態となるため、集魚装置１全体が生け簀７０内に落ち込むことがない。
【００２９】
次に、図４に示すように、生け簀７０内の水面Ａ付近に達するまで集魚装置１の枠部１０を上昇させ、それによってシート槽部３０内に養殖魚Ｆを集める工程が行われる。
この工程では、作業船８０の巻き上げ機８１にてロープ８２をさらに巻き上げていくことにより、集魚装置１の枠部１０の前記一端１１ａが生け簀７０の他の内側面７２ｂに沿って上昇し、それに伴って延長枠部１２が生け簀７０の枠体７１を摺動しながら上昇する。そして、延長枠部１２の折り曲げ部１２ａが枠体７１まで移動したところで巻き上げ機８１を停止することにより、主枠部１１全体が水面Ａ付近に設置される。
【００３０】
主枠部１１が水面Ａ付近へ上昇する間、主枠部１１に張られた網部２０（図１参照）が水面Ａ側へ移動するため、養殖魚Ｆはシート槽部３０によって形成されたスペース内へ移動し、最終的に逆円錐形のシート槽部３０内に全ての養殖魚Ｆが移動することとなる。この際、集魚装置１の網部２０およびシート槽部３０の通水部３２によって、生け簀７０内の水中を移動するときの集魚装置１の抵抗が低減されている。
この工程までが、集魚装置１を用いた養殖魚Ｆの集魚方法であり、引き続き養殖魚Ｆの薬浴処理が行われる。
【００３１】
薬浴処理では、図４に示すように、逆円錐形のシート槽部３０内の水中に魚病治療用の薬剤（矢印Ｄ）を添加する工程が行われる。
この工程では、養殖魚Ｆの種類および目的とする治療等に応じた薬剤が選択され、シート槽部３０内の海水量に応じて適切な薬剤濃度となる量の薬剤がシート槽部３０内の水中に添加される。なお、添加方法としては、散布装置を用いた薬剤散布が一般的であるが、特に限定されるものではない。
【００３２】
例えば、ブリ、マダイ、カンパチ、ヒラメ、トラフグ等の養殖魚Ｆの滑走細菌症を治療する場合、シート槽部３０内の水中に過酸化水素濃度が０．１〜３０００ｍｇ／Ｌになるように過酸化水素または過酢酸を添加し、その濃度が維持された状態で、シート槽部３０内の水中で養殖魚Ｆを１分〜６時間薬浴処理する。
この薬浴処理の間、養殖魚Ｆは逆円錐形のシート槽部３０の内周面に沿って回遊することができるため、養殖魚Ｆ同士の衝突による傷付き、シート槽部３０の内周面への養殖魚Ｆの衝突による傷付き等による養殖魚Ｆの衰弱を抑えることができる。
【００３３】
このようにして薬浴処理した後、生け簀７０内から集魚装置１が撤去される。
集魚装置１の撤去方法としては、例えば、図４で示した拡張状態の集魚装置１の枠部１０の延長枠部１２を主枠部１１側へ押して、枠部１０の拡張時の長さ（図１中の最大長さＬ１＋Ｌ２）を生け簀７０内に収まる長さまで短縮し、集魚装置１の延長枠部１２側を生け簀７０内に落とし込んで底面７２ｃ側へ沈める。このとき、枠部１０の一辺１１ａ側はロープ８２に連結されているため水面Ａ付近に維持される。
【００３４】
これにより、集魚装置１は生け簀７０の他の内側面７２ｂに沿った吊り下げ状態となり、シート槽部３０は萎み、養殖魚Ｆが生け簀７０内へ移動する。そして、ロープ８２を介して作業船８０で集魚装置１を引っ張って生け簀７０内から取り出す。なお、集魚装置１の引き上げ時に、縮めた枠部１０が再度伸長しないように、例えば、網部２０の縮んだ部分をロープにて縛るようにしてもよい。
【００３５】
この集魚装置１を用いた集魚方法は、図２〜図４で説明した方法以外で行うことも可能である。
図２では生け簀７０内の作業船８０の反対側に集魚装置１を立てた状態にセットした後、主枠部１１を水面Ａ付近まで上昇させる集魚方法を説明したが、生け簀７０内の作業船８０側に集魚装置１を立てた状態にセットした後、主枠部１１を水面Ａ付近まで上昇させるようにしてもよい。
この場合、生け簀７０の作業船とは反対側の枠体７１上に滑車を取り付けた支柱を予め設置し、枠体７１上の作業者が集魚装置１の連結具４３に予め一端を締結しておいたロープを滑車に掛け、ロープを引っ張ることにより図３と図４で説明したように枠部１０の主枠部１１が引っ張られて水面Ａ付近まで上昇して集魚することができる。この際、作業者または作業船８０にてロープを引けばよい。なお、この場合の集魚装置１の生け簀７０からの撤去方法としては、例えば、生け簀７０の枠体７１上に載っている延長枠部１２に作業船８０のロープ８２を繋ぎ、巻き上げ機８１にてロープ８２を巻き上げて集魚装置１を生け簀７０の外側へ引っ張り出すことによって行うことができる。
【００３６】
（第１実施形態の変形例）
第１実施形態の集魚装置１は、図４中の二点鎖線で示すように、シート槽部３０の底部（通水部３２の頂部）にロープを介して錘３３を取り付けてもよい。
これにより、シート槽部３０が水中で逆円錐形を保ちやすくなる。また、シート槽部３０から通水部３２が省略された場合、シート槽部３０の底部に錘３３を設けることによって、集魚装置１を生け簀７０内に設置する際、シート槽部３０の底部側が錘３３によって沈むため、シート槽部３０内の空気がシート槽部３０の開口部から外部へ抜けやすくなる。
【００３７】
（第２実施形態）
図５は本発明の養殖魚の集魚装置の第２実施形態を示す斜視図である。また、図６〜図８は第２実施形態の集魚装置を用いた集魚方法を説明する第１〜第３の図である。なお、図５〜図８において、図１〜図４中の要素と同様の要素には同一の符号を付している。
第２実施形態の集魚装置１０１は、第１実施形態の集魚装置１（図１参照）における延長枠部１２が省略されたこと以外は、概ね第１実施形態と同様に構成されている。
以下、第２実施形態における第１実施形態とは異なる点を主に説明する。
【００３８】
図５〜図８に示すように、第２実施形態の集魚装置１０１は、平面視略正方形の角形の生け簀７０内に収まる平面視略正方形の枠部１１０と、枠部１１０の内側に張られた網部１２０と、網部１２０に設けられたシート槽部３０と、網部１２０の外周端部に設けられた複数個の沈子５０とを備える。なお、図５では網部１２０の外周端部の全周に亘って複数個の沈子５０を設けた場合を例示したが、集魚装置１０１を生け簀７０の内側面７２ａに沿って沈める際の主部１１０の一辺１１０ａ側（図５、図６参照）にのみ複数個の沈子５０を設けてもよい。
【００３９】
枠部１１０は、第１実施形態と同様に、複数の大径パイプ１０ａと複数の小径パイプ１０ｂとが組み合わされた伸縮可能なパイプ材にて構成されており、４つの大径パイプ１０ａが四つ角に配置され、隣接する２つの大径パイプ１０ａの間に小径パイプ１０ｂがスライド可能に配置されている。
この枠部１１０の拡張状態における一辺の最大長さＬ１は、生け簀７０の枠体７１の内周部の一辺の長さと概ね等しく設定されている。
【００４０】
網部１２０は、平面視略正方形であり、拡張状態の枠部１１０の内側に複数の締結部材４１を介して取り付けられている。
この網部１２０にも円形の開口部１２１が設けられており、開口部１２１の周縁に逆円錐形のシート槽部３０の円形の開口部周縁が取り付けられている。
【００４１】
また、この集魚装置１０１は、図５中の二点鎖線で示すように、枠部１１０における一辺の両端部に一対のロープ４２の一端をそれぞれ締結すると共に、各ロープ４２の他端をリング形の連結具４３にそれぞれ締結してもよく、ロープ４２および連結具４３は作業者が用意したものを集魚作業前時に集魚装置１０１に取り付けてもよい。
さらに、この集魚装置１０１は、枠部１１０の対角にそれぞれの両端が締結された２本のロープ４４を別の連結具４５に通してもよく、ロープ４４および連結具４５は作業者が用意したものを集魚作業前時に集魚装置１０１に取り付けてもよい。
【００４２】
図８に示すように、このように構成された集魚装置１０１も、養殖魚Ｆの薬浴処理時に、枠部１１０が角形の生け簀７０内の水面Ａ付近に配置されてシート槽部３０が水中に浸漬した状態において、生け簀７０内に区画されたシート槽部３０内に集魚可能となっている。
以下、この集魚装置１０１を用いた養殖魚Ｆの集魚方法および薬浴処理方法について説明する。
【００４３】
図６に示すように、まず、集魚装置１０１を、角形の生け簀７０の一の内側面７２ａに沿わせた状態に設置する工程が行われる。
この工程においては、例えば、枠部１１０を拡張し、裏返した状態の二点鎖線で示す集魚装置１０１を、生け簀７０内の水面Ａ上に載せる。このとき、枠部１１０のパイプ材内に海水が流入するが、短時間（例えば２〜３分以内）に枠体１１０が完全に水中に沈むことはない。
なお、予め、集魚装置１には、前記一対のロープ４２および連結具４３（図５参照）が取り付けられると共に、一対のロープ４４および連結具４５が取り付けられ、作業船８０に設置された巻き上げ機８１のロープ８２の先端のフックが連結具４３に連結されると共に、作業船８０に設置されたクレーン８３のワイヤ８４の先端のフックが連結具４５に連結されている。
【００４４】
次に、集魚装置１の枠部１１０における一対のロープ４２が締結された一辺１１０ａを生け簀網７２の内側面７２ａに沿って下降させながら実線で示すように集魚装置１を立て、枠部１１０全体を生け簀網７２の内側面７２ａに沿わせた状態にする。この作業は、集魚装置１の枠部１１０の前記一辺１１０ａが真っ直ぐ下降できるよう、作業船８０の巻き上げ機８１およびクレーン８３からロープ８２およびワイヤ８４を操出しながら行われる。
なお、図６で説明した集魚装置１０１の生け簀７０内へのセット作業は、枠体７１上で２人の作業者が集魚装置１を移動させる作業を行ってもよく、それにより作業効率が高められる。
【００４５】
次に、図７に示すように、生け簀７０内の集魚装置１０１における枠部１０の下端（一辺１１０ａ）を、生け簀７０の前記内側面７２ａと対向する他の内側面７２ｂの方へ生け簀７０の底面７２ｃに沿って移動させる工程が行われる。
この工程では、作業船８０の巻き上げ機８１にてロープ８２を巻き上げることにより、集魚装置１の枠部１１０の下端（一辺１１０ａ）が生け簀７０の底面７２ｃに沿って他の内側面７２ｂの方へ引っ張られる。なおこの間に、クレーン８３のアームを生け簀７０の中央上方位置まで伸長させてもよい。
【００４６】
次に、図８に示すように、生け簀７０内の水面Ａ付近に達するまで集魚装置１０１の枠部１１０を上昇させ、それによってシート槽部３０内に養殖魚Ｆを集める工程が行われる。
この工程では、作業船８０のクレーン８３にてワイヤ８４を巻き上げていくことにより、集魚装置１０１の枠部１１０が略水平状態を保ちながら生け簀網７２の内側面に沿って上昇する。これにより、養殖魚Ｆは集魚装置１０１のシート槽部３０内に移動していく。なおこの間に、ロープ８１が邪魔とならないよう巻き上げ機８１でロープ８１を巻き上げてもよい。
そして、枠部１１０全体が水面Ａ付近まで移動したところでクレーン８３および巻き上げ機８１によるワイヤ８４およびロープ８１の巻き上げを停止する。
【００４７】
この工程までが、集魚装置１０１を用いた養殖魚Ｆの集魚方法であり、引き続き、逆円錐形のシート槽部３０内の水中に魚病治療用の薬剤（矢印Ｄ）を添加する薬浴処理工程が行われる。
なお、図６〜図８に示すように、集魚工程においては、作業船８０の巻き上げ機８１のロープ８２が生け簀７０の枠体７１および作業船８０の縁部に擦れて痛まないように、それらの摺接部分に例えばゴムシート８５を敷いてもよく、この点に関しては第１実施形態においても同様である。
【００４８】
このようにして薬浴処理した後、生け簀７０から集魚装置１０１が撤去される。
集魚装置１の撤去方法としては、例えば、図８で示した拡張状態の集魚装置１０１の一対のロープ４４の各一端を枠部１１０から外して連結具４５と各ロープ４４との連結を解除し、集魚装置１の枠部１１０の一辺１１０ａとは反対の他辺１１０ｂ側を生け簀７０内の底面７２ｃ側へ沈める。このとき、枠部１１０の一端１１０ａ側はロープ８２にて連結されているため水面Ａ付近に維持される。これにより、集魚装置１は生け簀７０の他の内側面７２ｂに沿った吊り下げ状態となり、シート槽部３０は萎み、養殖魚Ｆが生け簀７０内へ移動する。その後、クレーン８３のアームを短縮し、ロープ８２を介して作業船８０で集魚装置１０１を引っ張って生け簀７０内から取り出す。
【００４９】
（第２実施形態の変形例）
第２実施形態の集魚装置１０１は、図８中の二点鎖線で示すように、シート槽部３０の底部（通水部３２の頂部）にロープを介して錘３３を取り付けてもよい。
これにより、シート槽部３０が水中で逆円錐形を保ちやすくなる。また、シート槽部３０から通水部３２が省略された場合、シート槽部３０の底部に錘３３を設けることによって、集魚装置１を生け簀７０内に設置する際、シート槽部３０の底部側が錘３３によって沈むため、シート槽部３０内の空気がシート槽部３０の開口部から外部へ抜けやすくなる。
【００５０】
（他の実施形態）
１．第１および第２実施形態では、集魚装置のシート槽部が逆円錐形の場合を例示したが、シート槽部の中空形状は特に限定されるものではなく、例えば、逆円錐台形、円柱形、逆角錐形、逆角錐台形、角柱形、半球形等でもよい。例えば、養殖魚がヒラメの場合は、底が平坦な逆円錐台形、逆角錐台形、円柱形、角柱形等のシート槽部を採用してもよい。
また、底が平坦な逆円錐台形、逆角錐台形、円柱形、角柱形等の場合は、シート槽部の平坦な底部分の一部または全体を網にて形成してもよい。
２．第１および第２実施形態では、網部を有する集魚装置を例示したが、集魚装置は網部を有さないものであってもよい。この場合、枠部にシート槽部が直接取り付けられる。
３．第１および第２実施形態では、集魚装置の枠部が伸縮可能に構成された場合を例示したが、枠部は伸縮しないタイプでもよい。あるいは、枠部の複数箇所にヒンジ部を設け、運搬や保管等の際に集魚装置全体をコンパクトに折り畳むことができるようにしてもよい。
４．第１および第２実施形態において、網部を枠部に取り付ける締結部材は、網部を枠部から取り外せるものであってもよい。これにより、保管時や運搬時に集魚装置を分解してコンパクト化することができて便利となる。
【００５１】
５．前記実施形態（図１、図５参照）の集魚装置ではシート槽部の底部に網状の通水部を設けた場合を例示したが、網状の通水部はシート槽部の側部に設けられてもよい。
また、通水部はシート槽部の底部または側部に設けられた可撓性チューブであってもよい。この場合、シート槽部の底部または側部に設けた孔に可撓性チューブを接続する。なお、シート槽部の底部には沈子を追加的に設けてもよい。この構成によっても、網状の通水部と同様の作用効果を得ることができる。
それに加え、可撓性チューブの先端を海面上に露出させておき、可撓性チューブ内に空気または海水を送り込むことが可能となる。空気を可撓性チューブ内に送り込む状況としては、例えば、出荷時や薬浴中、赤潮発生や重油漏洩からの一時避難時において、海水中の溶存酸素が低下するというような状況が想定される。また、海水を可撓性チューブ内に送り込む状況としては、例えば、出荷時、赤潮発生や重油漏洩からの一時避難時において、海水中の溶存酸素が低下するというような状況や、薬浴時に薬剤を過剰量添加してしまったというような状況が想定される。
【００５２】
６．前記実施形態で説明した集魚装置の枠部の一部を、繊維強化プラスチック製の伸縮パイプ以外の材料を用いて構成してもよい。例えば、図１で説明した集魚装置１における枠部１０のロープ４２、４２が取り付けられる一辺１１ａを、生け簀７０の一辺の長さよりも長いワイヤ、チェーン等の可撓部材にて構成してもよい。また、図５で説明した集魚装置１０１における枠部１１０のロープ４２、４２が取り付けられる一辺１１０ａも同様に、生け簀７０の一辺の長さよりも長いワイヤ、チェーン等の可撓部材にて構成してもよい。
この構成によれば、集魚装置の枠部の一辺である下端を生け簀の底面に沿って移動させる際、生け簀の底面の撓み形状に枠部の下端が追従することができるため、枠部の下端と生け簀の底面との間に隙間が形成されにくくなり、養殖魚が隙間をすり抜けて逃げることを抑制できると共に、集魚装置としての利便性が高まる。なお、枠部の一辺１１ａ（または１１０ａ）の対向する辺も可撓性部材にて構成してもよく、それによりより利便性が高まる。
このように、集魚装置の枠部は、四角形に限定されるものではない。
【００５３】
（まとめ）
本発明の養殖魚の集魚装置は、枠部と、前記枠部の内側領域に設けられたシート槽部とを備え、
前記シート槽部は、所定の中空立体形状の低通水性シート部を有し、
前記枠部が角形の生け簀内の水面付近に設置されて前記シート槽部が水中に浸漬した状態において、前記生け簀内に区画された前記シート槽部内に集魚可能である。
この構成によれば、薬浴処理時の養殖魚の衰弱を抑制することができることに加えて、養殖魚の薬浴処理作業を行う漁業者（特に、小規模漁業者）に対してコストおよび労力の負担軽減を図ることができる。
【００５４】
本発明の養殖魚の集魚装置は、次のように構成されてもよく、それらが適宜組み合わされてもよい。
【００５５】
・前記枠部の内側に張られた網部をさらに有し、
前記網部は、その一部が切り取られて形成された開口部を有し、
前記シート槽部は、前記網部の前記開口部の周縁に取り付けられているものであってもよい。
この構成によれば、比較的大きな生け簀（例えば、縦８ｍ×横８ｍ×深さ８ｍ程度）に対応可能な集魚装置を得ることができる。なお、比較的大きな生け簀よりもサイズが小さな生け簀に対応する場合には、網部を省略し、枠部にシート槽部を直接設けた集魚装置を用いてもよい。
【００５６】
・前記枠部が、伸縮可能なパイプ材にて四角形に構成されてもよい。
この構成によれば、パイプ材を短くすることによって集魚装置全体を小さくすることができるため、集魚装置の保管および運搬に好都合となる。
【００５７】
・前記網部の前記開口部が円形または多角形であり、
前記シート槽部が、逆円錐形、逆円錐台形、円柱形または逆角錐形の中空形状を有するものであってもよい。
この構成によれば、養殖魚がシート槽部の内周面に沿って泳ぐことができるため、養殖魚同士の衝突や養殖魚のシート槽部の内面への衝突を低減することができ養殖魚の衰弱をより抑制することができる。
【００５８】
・前記シート槽部は、通水部を底部または側部に有しているものであってもよい。
この構成によれば、集魚装置の生け簀内へのセット時にシート槽部内に溜まった空気を通水部から外部へ容易に抜くことができる、生け簀内の底部からの集魚装置の引き上げが容易となる、生け簀内から集魚装置を撤去する際にシート槽部内に溜まった水を通水部から抜き、集魚装置を軽くして引き上げることができる等の利点が得られる。
【００５９】
・前記シート槽部の底部に設けられた錘をさらに備えたものであってもよい。
この構成によれば、生け簀内での集魚時にシート槽部の底部を生け簀底部側へ迅速かつ容易に配置させることができる。
【００６０】
・前記枠部が、前記生け簀内の水面付近に設置される主枠部と、前記主枠部に連設されて前記生け簀の枠体の一辺に載り上げ可能な延長枠部とを有するものであってもよい。
この構成によれば、枠部の延長枠部が生け簀の枠体の一辺に載せた状態で集魚装置を生け簀内にセットした後、枠部の延長枠部とは反対側の他の一辺のみをロープ等を用いて引き上げることにより集魚可能となるため、集魚装置の引き上げ作業が容易となる。
【００６１】
・前記延長枠部は、前記延長枠部が前記生け簀の前記枠体の前記一辺に載り上げたときに前記主枠部を前記生け簀内の水面と略平行な状態に支持可能とする折り曲げ部を、前記主枠部との連設部分に有するものであってもよい。
この構成によれば、生け簀内に設置した集魚装置の主枠部全体を水面付近に略水平状態で設置しやすくなるため、シート槽部全体を水中に浸漬して所定の中空形状に拡張させた状態に保持しやすくなると共に、枠部にかかる荷重を抑えることができる。
【００６２】
また、本発明の養殖魚の集魚方法は、前記集魚装置を、角形の生け簀の一の内側面に沿わせた状態に設置する工程と、
前記生け簀内の前記集魚装置における前記枠部の下端を、前記生け簀の前記一の内側面と対向する他の内側面の方へ前記生け簀の底面に沿って移動させる工程と、
前記生け簀内の水面付近まで前記枠部を上昇させ、それによって前記シート槽部内に前記生け簀内の魚を集める工程とを含む。
この集魚方法によれば、生け簀内を集魚装置のシート槽部によって区画した小区画域内に養殖魚を集める作業を少人数で行うことができ、漁業者に対して人手と手間と労力を軽減することができる。
【００６３】
また、本発明の養殖魚の薬浴処理方法は、前記集魚方法における前記生け簀内の養殖魚を集める工程の後、前記シート槽部内の水中に魚病治療用の薬剤を添加する工程を行う。
この薬浴処理方法によれば、生け簀内を集魚装置のシート槽部にて区画した小区画域に魚病治療用の薬剤を添加することができるため、薬剤の使用量を低減することができる。また、本発明の集魚装置を用いることにより、薬浴処理後、養殖魚にストレスを与えることなく簡単かつ速やかに集魚装置のみを生け簀内から撤去することができる。
【００６４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６５】
１、１０１  集魚装置
１０、１１０  枠部
１１  主枠部
１１ａ、１１０ａ  下端（一辺）
１２  延長枠部
２０、１２０  網部
２１、１２１  開口部
３０  シート槽部
３１  低通水性シート部
３２  網
３３  錘
７０  生け簀
７２ａ、７２ｂ  内側面
７２ｃ  底面
Ａ  水面
Ｄ  薬剤
Ｆ  養殖魚
【図１】
2020184918.tif 000003
【図２】
2020184918.tif 000004
【図３】
2020184918.tif 000005
【図４】
2020184918.tif 000006
【図５】
2020184918.tif 000007
【図６】
2020184918.tif 000008
【図７】
2020184918.tif 000009
【図８】
2020184918.tif 000010